(57)【要約】【課題】  ハンドルを容易に所定の姿勢にできる窓開閉操作装置を提供する。【解決手段】  本発明では、スライド移動する障子３にワイヤロープ９とチェーン１１からなる線条体を連結する。チェーン１１をハンドルボックス１２内のスプロケット１８に掛けている。連結部２４を介してハンドル２５に連結されている回転軸２３にスプロケット１８が連結される。ハンドル２５のボール３３が連結部２４の凹部３８に係合した状態でハンドル２５を回転させると、線条体９・１１が駆動されて障子３が開閉する。障子３を全閉させた状態でハンドル２５を障子３の閉じ方向に回転させ、または障子３を全開させた状態でハンドル２５を障子３の開き方向に回転させると、ハンドル２５のボール３３が連結部２４の凹部３８から外れて、ハンドル２５が空転する。【選択図】  図１
2014005659.tif 000002
【特許請求の範囲】
【請求項１】
建物の開口部に配置している障子（３）を水平方向にスライド移動させて開閉操作する窓開閉操作装置であって、
前記障子（３）には、線条体（９・１１）を連結していて、その線条体（９・１１）は、ハンドル（２５）によって回転駆動される回転駆動体（１８）に掛けており、
前記回転駆動体（１８）およびその回転駆動体（１８）とハンドル（２５）との間に介在する回転軸（２３）を、建物の適所に配置しているハンドルボックス（１２）に回転自在に支持しており、
前記回転軸（２３）に円柱状の連結部（２４）を連結しており、
その連結部（２４）は、前記ハンドル（２５）の回転中心に設けている嵌合孔（２８）に空回り可能に嵌め込まれており、
前記ハンドル（２５）には、前記嵌合孔（２８）の周面から当該嵌合孔（２８）の径方向に延びる一または複数本の放射状孔（３２）と、その放射状孔（３２）内において前記嵌合孔（２８）側に配置しているボール（３３）と、前記ボール（３３）を前記連結部（２４）側へ付勢する弾性体（３４）とを有しており、
前記連結部（２４）の外周面には、前記ボール（３３）が係合可能な複数個の凹部（３８）を形成しており、
前記ボール（３３）が前記連結部（２４）の凹部（３８）に係合している状態で前記ハンドル（２５）を手動で回転操作すると、その回転力が前記回転駆動体（１８）に伝達されて前記線条体（９・１１）が駆動されて前記障子（３）が開閉し、
前記障子（３）を全閉にした状態で前記ハンドル（２５）を前記障子（３）の閉じ方向に回転操作した場合、または前記障子（３）を全開にした状態で前記ハンドル（２５）を前記障子（３）の開き方向に回転操作した場合には、前記ハンドル（２５）のボール（３３）が前記連結部（２４）の凹部（３８）から外れて、前記ハンドル（２５）が空転することを特徴とする窓開閉操作装置。
【発明の詳細な説明】
【技術分野】
【０００１】
本発明は、建物の開口部に対して水平方向にスライド移動可能に配置した一または複数の障子を手動で開閉するための窓開閉操作装置に関するものである。
【背景技術】
【０００２】
前記窓開閉操作装置としては、例えば特許文献１や特許文献２に示すものがある。その特許文献１・２に記載の窓開閉操作装置では、無端状に構成したチェーンなどの線条体を一対の滑車やスプロケットなどに掛け渡すとともに障子に連結している。そして、前記一対の滑車やスプロケットなどのうち、一方の滑車やスプロケットなどにハンドルを連結して当該ハンドルを手動で回転することで、前記障子を水平方向にスライド移動させて窓を開閉するようになっている。
【先行技術文献】
【特許文献】
【０００３】
【特許文献１】実公昭１８−１５３７号公報
【特許文献２】実開昭５１−１０９６３５号公報
【発明の概要】
【発明が解決しようとする課題】
【０００４】
窓開閉操作装置では、窓を全閉または全開したときに前記ハンドルが、例えば垂下姿勢（所定の姿勢）になるように、設置（施工）の際に調節することになるが、その調節の手間が煩わしいことになる。また、窓の開閉を長期間繰り返すことで前記線条体が延びてしまい、窓を全閉または全開したときにハンドルが前記垂下姿勢にならない虞がある。この場合、ハンドルの姿勢の見栄えがよくないことになる。
【０００５】
本発明は、かかる不都合を解決することを目的とするものであり、ハンドルの姿勢の調節の手間を省略できるうえ、窓の開閉を繰り返しても確実にハンドルを所定の姿勢にできる窓開閉操作装置を提供することにある。
【課題を解決するための手段】
【０００６】
本発明は、前記不都合を解決するものである。すなわち本発明は、建物の開口部に配置している障子３を水平方向にスライド移動させて開閉操作する窓開閉操作装置であって、障子３には、線条体９・１１を連結していて、線条体９・１１は、ハンドル２５によって回転駆動される回転駆動体１８に掛けており、回転駆動体１８およびその回転駆動体１８とハンドル２５との間に介在する回転軸２３を、建物の適所に配置しているハンドルボックス１２に回転自在に支持しており、回転軸２３に円柱状の連結部２４を連結しており、連結部２４は、ハンドル２５の回転中心に設けている嵌合孔２８に空回り可能に嵌め込まれており、ハンドル２５には、嵌合孔２８の周面から嵌合孔２８の径方向に延びる一または複数本の放射状孔３２と、放射状孔３２内において嵌合孔２８側に配置しているボール３３と、ボール３３を連結部２４側へ付勢する弾性体３４とを有しており、連結部２４の外周面には、ボール３３が係合可能な複数個の凹部３８を形成しており、ボール３３が連結部２４の凹部３８に係合している状態でハンドル２５を手動で回転操作すると、その回転力が回転駆動体１８に伝達されて線条体９・１１が駆動されて障子３が開閉し、障子３を全閉にした状態でハンドル２５を障子３の閉じ方向に回転操作した場合、または障子３を全開にした状態でハンドル２５を障子３の開き方向に回転操作した場合には、ハンドル２５のボール３３が連結部２４の凹部３８から外れて、ハンドル２５が空転することを特徴とする。
【０００７】
ここでの線条体９・１１には、ワイヤロープやチェーンなどが該当し、またワイヤロープやチェーンなどの複数種類の線条体を繋ぎ合わせた場合も該当する。回転駆動体１８には、滑車やスプロケットなどが該当する。弾性体３４には、コイルバネやゴムなどが該当する。ここでは、回転軸２３を回転駆動体１８の軸に直接固定した場合や、回転軸２３を、歯車などを介して回転駆動体１８に連結した場合などが該当する。回転軸２３と連結部２４との連結には、連結部２４を回転軸２３に直接固定（連結）した場合や、他の部材を介して連結した場合などが含まれる。
【発明の効果】
【０００８】
本発明の窓開閉操作装置は、ハンドル２５のボール３３が連結部２４の凹部３８に係合している状態でハンドル２５を手動で回転させると、そのハンドル２５の回転力が、ハンドル２５のボール３３、連結部２４および回転軸２３を介して回転駆動体１８に伝達されて線条体９・１１が駆動される。それによって障子３が水平方向にスライド移動して開閉される。
【０００９】
そして、障子３が閉じられることによって全閉して線条体９・１１が駆動不能になった状態で、ハンドル２５を障子３の閉じ方向に更に回転操作すると、前述の線条体９・１１の駆動不能に伴って回転駆動体１８が回転しないので、ハンドル２５のボール３３が弾性体３４の付勢力に抗して連結部２４の凹部３８から外れ、ハンドル２５が空転する。それによってハンドル２５を所定の姿勢、例えば垂下姿勢にすることができる。
【００１０】
また、障子３が開かれることによって全開して線条体９・１１が駆動不能になった状態で、ハンドル２５を障子３の開き方向に更に回転操作した場合にも、回転駆動体１８が回転しないために、前記ハンドル２５のボール３３が連結部２４の凹部３８から外れてハンドル２５が空転し、それによってハンドル２５を所定の姿勢にすることができる。
【００１１】
このように、障子３の全閉時および全開時には確実にハンドル２５を所定の姿勢（例えば垂下姿勢）にすることができるので、施工などの際にハンドル２５の姿勢を調節する手間を省略できるうえ、窓の開閉を繰り返しても確実にハンドル２５を所定の姿勢にできて、ハンドル２５の姿勢の見栄えをよくすることができる。
【図面の簡単な説明】
【００１２】
【図１】本発明の窓開閉操作装置に係るハンドルの要部を切断した正面図である。
【図２】図１のハンドルの要部の拡大図である。
【図３】図１のＡ−Ａ線矢視断面図である。
【図４】窓開閉操作装置の全体図である。
【発明を実施するための形態】
【００１３】
本発明に係る窓開閉操作装置の一実施例を図１ないし図４に基づいて説明する。その窓開閉操作装置は、図４に示すように、建物の外壁の開口部に配置している片引き窓１をハンドル２５によって開閉操作するものである。その片引き窓１は、２連１組の連窓として配置している。
【００１４】
各片引き窓１は、建物の開口部に配置してあって方形状に枠組みした窓枠２内に左右一対の障子３・４をそれぞれ配置しており、その一対の障子３・４のうち、一方の障子３を、窓枠２内において水平方向（図４では左右方向）にスライド移動自在に支持している。他方の障子４は窓枠２内に固定している。各障子３・４は、方形状に枠組みした框６の内方に板ガラス７を装着している。
【００１５】
前記一方の障子３・３の下端部には障子ブラケット８をそれぞれ取り付けており、各障子ブラケット８にワイヤロープ９の中間部をそれぞれ連結している。そのワイヤロープ９が駆動されることによって、各障子３がそれぞれ開閉される。ワイヤロープ９の両端は、それぞれターンバックル１０・１０を介してチェーン１１の両端に連結しており、ワイヤロープ９とチェーン１１とで無端状（環状）の線条体を形成している。
【００１６】
前記チェーン１１の中間部は、図１および図３に示すハンドルボックス１２内に導かれている。ハンドルボックス１２は、図４に示すように、建物の内壁などの適所であって片引き窓１の横側（図４では右側）、かつ下方に配置（固定）している。ワイヤロープ９は、片引き窓１の横側（図４では左側）に配置しているコーナ滑車（回転従動体）１４と、ハンドルボックス１２の上側に配置している一対の転向滑車１５・１６とに架けた状態でターンバックル１０・１０に連結されている。
【００１７】
ハンドルボックス１２の内部には、前記チェーン１１に噛合するスプロケット（回転駆動体）１８と、そのスプロケット１８に対して同軸状に配置していてラップスプリングクラッチ（不図示）を介してスプロケット１８に連結している第１歯車１９と、その第１歯車１９に噛合している第２歯車２０と、その第２歯車２０に噛合している歯車部２２を有する回転軸２３などを配置している。それにより、ワイヤロープ９とチェーン１１とからなる線条体が、スプロケット１８とコーナ滑車１４とに亘って掛け渡されることになる。また、回転軸２３が、スプロケット１８とハンドル２５との間に介在することになる。スプロケット１８、第１歯車１９、第２歯車２０および回転軸２３は、ハンドルボックス１２内に回転自在に支持されている。
【００１８】
前記回転軸２３の先端（図３では左端）には、円柱状の連結部２４を連結（固定）しており、その連結部２４は回転軸２３の同軸上に位置している。連結部２４は、図２に示すように、前記ハンドル２５の基端側である円柱状の回転軸部２６に設けている円柱状の嵌合孔２８に空回り可能に嵌め込まれている。なお、ハンドル２５の先端部には、円柱状の握り２９（図１）を設けている。
【００１９】
ハンドル２５の回転軸部２６には、前記嵌合孔２８の周面から当該回転軸部２６の外周面３１へ向けて放射状に延びている六本の放射状孔３２と、各放射状孔３２内において嵌合孔２８側に配置しているボール３３と、各放射状孔３２内に配置していてボール３３を連結部２４側へ付勢するコイルバネ（弾性体）３４と、各放射状孔３２の内周面に設けた雌ネジ（不図示）に螺合する六角穴付止めネジ３６とを有している。コイルバネ３４は、ボール３３と六角穴付止めネジ３６との間に配置している。
【００２０】
前記連結部２４の外周面には、ハンドル２５のボール３３が係合可能な九個の半球状の凹部３８を形成している。各凹部３８は、連結部２４の外周面の周方向に等間隔に並べて設けられている。ハンドル２５の各放射状孔３２の嵌合孔２８側の開口は、連結部２４の隣り合う凹部３８・３８どうしの間隔に等しい間隔でハンドル２５の嵌合孔２８の周方向に並んで配置している。それによって、全ての放射状孔３２の嵌合孔２８側の開口が、同時に連結部２４の凹部３８に対面可能になっており、その対面状態で各ボール３３が連結部２４の凹部３８にそれぞれ係合する（図２の状態）。
【００２１】
そして、各ボール３３が連結部２４の凹部３８にそれぞれ係合している状態で、ハンドル２５を手動で回転させると、その回転力がボール３３、連結部２４、回転軸２３、その回転軸２３の歯車部２２、第２歯車２０および第１歯車１９を介してスプロケット１８に伝達されてチェーン１１が駆動される。それにより、ワイヤロープ９を介して各片引き窓１の一方の障子３がそれぞれ開閉操作される。
【００２２】
前記ラップスプリングクラッチは、第１歯車１９からスプロケット１８への回転力の伝達を許容する一方で、第１歯車１９が停止している状態でスプロケット１８を回転させようとしてもそのスプロケット１８の回転を阻止する。つまり、ハンドル２５を使わずに一方の障子３を直接手などで開けようとした場合には、それに連動してチェーン１１とワイヤロープ９とを介してスプロケット１８が回転しようとするが、第１歯車１９が停止しているので前述のようにスプロケット１８の回転が阻止される。それにより、チェーン１１とワイヤロープ９とが動くことができず、従って一方の障子３を開くことができない。その結果、例えば侵入者が、建物外から一方の障子３を手などで開いて建物内に侵入することを防止できる。
【００２３】
本発明の作用を説明すると、連結部２４の凹部３８にハンドル２５のボール３３が係合している状態（図１および図２の状態）でハンドル２５を回転させると、ハンドル２５の回転力がボール３３を介して連結部２４に伝わって当該連結部２４が回転し、それに伴ってハンドルボックス１２の回転軸２３が回転する。それにより、チェーン１１が駆動されてワイヤロープ９を介して各片引き窓１の一方の障子３がそれぞれ開閉される。なお、ハンドル２５の回転方向に対応させて、片引き窓１の一方の障子３の開く方向または閉じる方向を定めている。ハンドル２５のボール３３が連結部２４の凹部３８に係合している状態は、ハンドル２５のコイルバネ３４の付勢力によって維持される。
【００２４】
片引き窓１が全閉または全開の状態になったときには、一方の障子３はそれ以上の移動ができなくなって停止するために、ワイヤロープ９およびチェーン１１が駆動不能になって、スプロケット１８および回転軸２３の回転も停止する。その状態のときにハンドル２５が所定の姿勢、例えば図１の垂下姿勢からずれて、傾いた姿勢（図１での時計方向または反時計方向）になっている場合に、ハンドル２５を強制的に回転させることで、ハンドル２５のボール３３が、コイルバネ３４の付勢力に抗して連結部２４の凹部３８の斜面に沿って迫り上がって放射状孔３２内に退入し、連結部２４の凹部３８から外れ、ハンドル２５が空転する。それによってハンドル２５を前記垂下姿勢まで回転させることができる。
【００２５】
なお、各ターンバックル１０とチェーン１１との間には、図４に示すように、ストッパー４１・４２をそれぞれ配置しており、例えば、片引き窓１が全閉状態になったときに、一方のストッパー４１がハンドルボックス１２の上面４３に当接し（図１の状態）、片引き窓１が全開状態になったときに、他方のストッパー４２がハンドルボックス１２の上面４３に当接するようにしている。
【００２６】
このように、片引き窓１が全閉になってもハンドル２５を更に一方の障子３が閉じられる方向に回転させた場合、または片引き窓１が全開になってもハンドル２５を更に一方の障子３が開く方向に回転させた場合にはハンドル２５が空転するので、片引き窓１を全閉または全開したときにハンドル２５が所定の姿勢（垂下姿勢）になっていないときに、前述のようにハンドル２５を空転させることで、ハンドル２５を確実に所定の姿勢にすることができる。
【００２７】
前記説明では、ハンドル２５の全ての放射状孔３２に、ボール３３とコイルバネ３４と六角穴付止めネジ３６とを配置したが、少なくとも一つの放射状孔３２に、ボール３３とコイルバネ３４と六角穴付止めネジ３６とを配置したものであってもよい。また、六角穴付止めネジ３６の締め込み量を調節して、コイルバネ３４のボール３３への付勢力を増減してもよい。
【００２８】
つまり、各片引き窓１が全閉または全開の状態になる前にハンドル２５が空転したり、あるいは片引き窓１が全閉または全開の状態になったのちのハンドル２５の空転が困難になったりしないように、ボール３３とコイルバネ３４と六角穴付止めネジ３６との配置の数や、六角穴付止めネジ３６の締め込み量が調節される。
【００２９】
前記説明では、ハンドル２５の放射状孔３２の本数は六本であったが、五本以下であってもよく、七本以上であってもよい。また、前記説明では、連結部２４の凹部３８は、九個であったが、八個以下であってもよく、十個以上であってもよい。
【符号の説明】
【００３０】
１  片引き窓
３  一方の障子
９  ワイヤロープ
１１  チェーン
１２  ハンドルボックス
１８  スプロケット
２３  回転軸
２４  連結部
２５  ハンドル
２６  回転軸部
２８  嵌合孔
３２  放射状孔
３３  ボール
３４  コイルバネ
３８  凹部
【図１】
2014005659.tif 000003
【図２】
2014005659.tif 000004
【図３】
2014005659.tif 000005
【図４】
2014005659.tif 000006